(57)【特許請求の範囲】
【請求項１】
表面に第一導電層及び第一導線が設置されている第一基板と、
前記第一基板と重畳され且つ前記第一導電層に対向する表面に第二導電層が設置されている第二基板と、
を備えてなるタッチパネルであって、
前記第一基板及び前記第二基板において、前記第一導電層と前記第二導電層とが重畳された区域はタッチ区域であり、前記タッチ区域の外周の区域は幅が１００μｍ〜１ｍｍである縁部区域であり、前記第一導線が前記縁部区域に位置し、且つ前記第一導電層及び前記第二導電層は、抵抗異方性を有し、
前記第一導電層及び前記第二導電層の抵抗異方性の比率は、１００〜２００であることを特徴とするタッチパネル。
【請求項２】
前記第一導電層及び前記第二導電層は、カーボンナノチューブが平行に配列されてなるカーボンナノチューブフィルムによって形成され、前記第一導電層及び前記第二導電層の主要導電方向が直交することを特徴とする請求項１に記載のタッチパネル。
【請求項３】
前記第一導線の幅は、５０μｍ〜５００μｍであることを特徴とする請求項１に記載のタッチパネル。
【請求項４】
前記第二基板は、２つの第二電極を備え、前記２つの第二電極は、それぞれ前記第二導電層の対向する２つの側辺に平行に設置され、前記２つの第二電極の延出方向は、前記第二導電層の主要導電方向に直交することを特徴とする請求項１に記載のタッチパネル。
【請求項５】
前記１つの第二電極は、前記縁部区域に位置し、且つ前記第一導線と重畳されることを特徴とする請求項４に記載のタッチパネル。
【請求項６】
前記第一基板は、２つの第一電極を備え、前記２つの第一電極は、それぞれ前記第一導電層の対向する２つの側辺に平行に設置され、前記２つの第一電極の延出方向は、前記第一導電層の主要導電方向に直交することを特徴とする請求項５に記載のタッチパネル。
【請求項７】
表面に第一導電層及び第一導線が設置されている第一基板と、
前記第一基板と重畳され且つ前記第一導電層に対向する表面に第二導電層が設置されている第二基板と、
を備えてなるタッチパネルであって、
前記第一基板及び前記第二基板において、前記第一導電層及び前記第二導電層が重畳される区域はタッチ区域であり、前記タッチ区域の外周の区域は幅が１００μｍ〜１ｍｍである縁部区域であり、前記第一導線が前記縁部区域に位置し、前記第一導電層及び前記第二導電層の表面抵抗は、１ｋΩ／□〜８００ｋΩ／□であり、
前記第一導電層及び前記第二導電層は、抵抗異方性を有し、前記第一導電層及び前記第二導電層の抵抗異方性の比率は、１００〜２００であることを特徴とするタッチパネル。
【請求項８】
前記第一導電層及び前記第二導電層は、カーボンナノチューブが平行に配列されてなるカーボンナノチューブフィルムによって形成され、前記第一導電層及び前記第二導電層の主要導電方向が直交することを特徴とする請求項７に記載のタッチパネル。
【請求項９】
前記第一導線の幅は、５０μｍ〜５００μｍであることを特徴とする請求項７に記載のタッチパネル。
【請求項１０】
本体と、
表面に第一導電層及び第一導線が設置されている第一基板と、前記第一基板と重畳され且つ前記第一導電層に対向する表面に第二導電層が設置されている第二基板と、を備え、前記第一基板及び前記第二基板において、前記第一導電層及び前記第二導電層が重畳される区域はタッチ区域であり、前記タッチ区域の外周の区域は縁部区域であり、前記第一導線が前記縁部区域に位置するタッチパネルと、
を備えてなる電子装置において、
前記第一導電層及び前記第二導電層は、抵抗異方性を有し、前記縁部区域の幅は、１００μｍ〜１ｍｍであり、
前記第一導電層及び前記第二導電層は、抵抗異方性を有するカーボンナノチューブフィルムによって形成され、前記第一導電層及び前記第二導電層の抵抗異方性の比率は、１００〜２００であることを特徴とする電子装置。
【請求項１１】
前記本体は、表示パネルをさらに備え、前記タッチパネルは前記表示パネルに積層設置されることを特徴とする請求項１０に記載の電子装置。
【請求項１２】
前記電子装置は、前記第一導電層に対面するように前記タッチパネルに積層設置され、且つ前記タッチパネルのタッチ区域に対応する透明区域及び前記タッチパネルの縁部区域に対応する非透明区域を具備する装飾フィルムをさらに備えることを特徴とする請求項１１に記載の電子装置。
【請求項１３】
前記第一導電層及び前記第二導電層の表面抵抗は、１ｋΩ／□〜８００ｋΩ／□であることを特徴とする請求項１０に記載の電子装置。
【請求項１４】
前記第一導線の幅は、５０μｍ〜５００μｍであることを特徴とする請求項１０に記載の電子装置。
【請求項１５】
本体と、
前記本体に対して移動するように設置された表示装置と、
前記表示装置の表示部に設置され、且つ表面に第一導電層及び第一導線が設置されている第一基板と、前記第一基板と重畳され且つ前記第一導電層に対向する表面に第二導電層が設置されている第二基板と、を備え、前記第一基板及び前記第二基板において、前記第一導電層及び前記第二導電層が重畳される区域はタッチ区域であり、前記タッチ区域の外周の区域は縁部区域であり、前記第一導線が前記縁部区域に位置するタッチパネルと、
を備えてなる電子装置において、
前記第一導電層及び前記第二導電層の表面抵抗は、１ｋΩ／□〜８００ｋΩ／□であり、前記縁部区域の幅は、１００μｍ〜１ｍｍであり、
前記第一導電層及び前記第二導電層は、抵抗異方性を有するカーボンナノチューブフィルムによって形成され、前記第一導電層及び前記第二導電層の抵抗異方性の比率は、１００〜２００であることを特徴とする電子装置。
【請求項１６】
前記表示装置は、平面表示装置であり、前記平面表示装置は、前記本体に回転可能に連結されることを特徴とする請求項１５に記載の電子装置。
【発明の詳細な説明】
【技術分野】
【０００１】
本発明は、タッチパネルに関し、特にカーボンナノチューブ導電層を採用する抵抗式タッチパネル及びこのタッチパネルを用いる電子装置に関するものである。
【０００２】
図１に示したように、従来の抵抗式タッチパネルは、互いに重畳される第一導電性フィルム１及び第二導電性フィルム２を備える。前記第一導電性フィルム１及び前記第二導電性フィルム２の表面には、透明導電材料からなる導電層が設置されている。前記第一導電性フィルム１の左右両側には、互いに平行する２つの第一電極３ａ、３ｂが設置され、前記第二導電性フィルム２の上下両側には互いに平行する第二電極４ａ、４ｂが設置されている。前記第一電極３ｂを電流源５に電気接続させて、前記第一導電性フィルム１がタッチされる前に一定の電位（Ｖ＋）を保持するようにして、前記第二電極４ｂは抵抗６を介して接地するか、または前記第二電極４ｂに比較的低い電位を接続させて、前記第二導電性フィルム２が比較的低い電位を保持するようにする。
【０００３】
タッチ部位を測定するために、前記第一電極３ａ、３ｂを比較器７に電気接続させ、前記第二電極４ａ、４ｂを比較器８に電気接続させる。前記タッチパネルがタッチされない場合、前記第一導電性フィルム１におけるＸ軸の電位差（Ｖｘ）は０ボルトであり、前記第二導電性フィルム２におけるＹ軸の電位差（Ｖｙ）も０ボルトである。使用者が前記タッチパネルのＣ点をタッチして、前記第一導電性フィルム１が変形されて前記第二導電性フィルム２に接触する場合、Ｘ軸の電位差（Ｖｘ’）及びＹ軸の電位差（Ｖｙ’）は、それぞれＶ＋〜０の間の値になる。従って、従来の四線式の抵抗式タッチパネルは、前記Ｘ軸の電位差（Ｖｘ’）及び前記Ｙ軸の電位差（Ｖｙ’）に基づいて、所定の転換方式で接触点ＣのＸ軸及びＹ軸の座標を計算することができる。
【０００４】
説明を簡略化するために、以下、Ｘ軸の座標を計算することだけを例として説明する。図１に示したように、Ｘ軸の座標（ｄ）と第一導電性フィルム１の幅（Ｄ）との比率は、以下の式（Ａ）を満足する。
【０００５】
【数１】
0005645511.tif 000002
【０００６】
Ｒｆｉｌｍは、前記第一導電性フィルム１及び前記第二導電性フィルム２の表面抵抗を指し、Ｒｃｏｎｔａｃｔは、接触抵抗を指し、Ｒｌｉｎｅは、前記第一電極３ａ、３ｂと前記比較器７を連結する導線の抵抗を指す（特許文献１及び特許文献２を参照）。
【０００７】
従来の導電性フィルムは、透明材料として酸化インジウム・スズ（ＩＴＯ）を採用し、前記ＩＴＯによる導電性フィルムの表面抵抗は３０〜１００Ω/□である。測定誤差を低減するためには、前記接触抵抗（Ｒｃｏｎｔａｃｔ）及び前記導線の抵抗（Ｒｌｉｎｅ）を１５Ωより小さくしなければならない。換言すると、前記接触抵抗（Ｒｃｏｎｔａｃｔ）を改善できない状況下で、前記導線の抵抗（Ｒｌｉｎｅ）が小さければ小さいほど(即ち、外周導線の直径が大きいほど)、測定されるＸ軸の座標はより正確となる。
【０００８】
消費者の製品に対する要求が高くなることにより、携帯電話又はデジタルカメラのような電子製品において、枠（ｆｒａｍｅ）の幅が狭いことが要求されている。しかし、透明材料である酸化インジウム・スズ（ＩＴＯ）の材料特性に限定されて、外周導線の直径が所定値より大きくなければならないため、タッチパネルの枠の幅をより低減できないか、又は高解析度の電子監視システムが必要になるので、製品を設計する場合に制限を受けている。
【先行技術文献】
【特許文献】
【０００９】
【特許文献１】米国特許第４６７２１５３号明細書
【特許文献２】米国特許第４８９７５１１号明細書
【特許文献３】台湾特許出願公開４８９７５１１号明細書
【発明の概要】
【発明が解決しようとする課題】
【００１０】
以上の問題点に鑑みて、本発明は、枠の幅が狭いタッチパネル及びこのタッチパネルを用いる電子装置を提供することを目的とする。
【課題を解決するための手段】
【００１１】
前記問題を解決するために、本発明に係るタッチパネルは、表面に第一導電層及び第一導線が設置されている第一基板と、前記第一基板と重畳され且つ前記第一導電層に対向する表面に第二導電層が設置されている第二基板と、を備えてなる。前記第一基板及び前記第二基板において、前記第一導電層と前記第二導電層とが重畳された区域はタッチ区域であり、前記タッチ区域の外周の区域は幅が１００μｍ〜１ｍｍである縁部区域であり、前記第一導線が前記縁部区域に位置し、且つ前記第一導電層及び前記第二導電層は、抵抗異方性を有する。
【００１２】
また、本発明に係るタッチパネルは、表面に第一導電層及び第一導線が設置されている第一基板と、前記第一基板と重畳され且つ前記第一導電層に対向する表面に第二導電層が設置されている第二基板と、を備えてなる。前記第一基板及び前記第二基板において、前記第一導電層及び前記第二導電層が重畳される区域はタッチ区域であり、前記タッチ区域の外周の区域は幅が１００μｍ〜１ｍｍである縁部区域であり、前記第一導線が前記縁部区域に位置し、前記第一導電層及び前記第二導電層の表面抵抗は、１ｋΩ／□〜８００ｋΩ／□である。
【００１３】
また、本発明に係る電子装置は、本体と、表面に第一導電層及び第一導線が設置されている第一基板と、前記第一基板と重畳され且つ前記第一導電層に対向する表面に第二導電層が設置されている第二基板と、を備え、前記第一基板及び前記第二基板において、前記第一導電層及び前記第二導電層が重畳される区域はタッチ区域であり、前記タッチ区域の外周の区域は縁部区域であり、前記第一導線が前記縁部区域に位置するタッチパネルと、を備えてなる。前記第一導電層及び前記第二導電層は、抵抗異方性を有し、前記縁部区域の幅は、１００μｍ〜１ｍｍである。
【００１４】
また、本発明に係る電子装置は、本体と、前記本体に対して移動するように設置された表示装置と、前記表示装置の表示部に設置され、且つ表面に第一導電層及び第一導線が設置されている第一基板と、前記第一基板と重畳され且つ前記第一導電層に対向する表面に第二導電層が設置されている第二基板と、を備え、前記第一基板及び前記第二基板において、前記第一導電層及び前記第二導電層が重畳される区域はタッチ区域であり、前記タッチ区域の外周の区域は縁部区域であり、前記第一導線が前記縁部区域に位置するタッチパネルと、を備えてなる。前記第一導電層及び前記第二導電層の表面抵抗は、１ｋΩ／□〜８００ｋΩ／□であり、前記縁部区域の幅は、１００μｍ〜１ｍｍである。
【発明の効果】
【００１５】
本発明に係るタッチパネル及び電子装置において、異なる導電層材料を採用することで、タッチパネル及び電子装置の信頼性を向上する一方、導電層の高い抵抗の特性によってタッチパネルの枠(縁部区域)の幅を大幅縮小することができるので、タッチパネルの異なる設計要求を満足させることができる。
【図面の簡単な説明】
【００１６】
【図１】従来の4線式の抵抗式タッチパネルの構造を示す図である。
【図２】本発明に係る抵抗式タッチパネルの分解図である。
【図３】図２に示す抵抗式タッチパネルの第一導電性フィルムの平面図である。
【図４】図２に示す抵抗式タッチパネルの第二導電性フィルムの平面図である。
【図５】図２に示すタッチパネルを用いる携帯電話の分解図である。
【図６】図２に示すタッチパネルを用いるノートパソコンを示す図である。
【発明を実施するための形態】
【００１７】
以下、図面に基づいて、本発明に係るタッチパネル及びこのタッチパネルを用いる電子装置について詳細に説明する。
【００１８】
図２は、本発明に係る抵抗式タッチパネル２００の分解図である。
【００１９】
前記タッチパネル２００は、第一導電性フィルム２１０と、前記第一導電性フィルム２１０に重畳設置される第二導電性フィルム２２０と、前記第一導電性フィルム２１０及び前記第二導電性フィルム２２０を固着する環形接着層２３０と、を備える。前記環形接着層２３０の中空部には、複数の絶縁素子（Ｓｐａｃｅｒ）２３２が均一に分布されている。前記絶縁素子２３２は、前記第一導電性フィルム２１０と前記第二導電性フィルム２２０とが、一定の間隔を維持するようにする。
【００２０】
前記第一導電性フィルム２１０は、第一基板２１１と、前記第一基板２１１の表面に設置される第一接着層２１２と、前記第一接着層２１２により前記第一基板２１１に固着される第一導電層２１３と、を備える。前記第一導電層２１３の表面には、２つの第一電極２１４、２１５及び第一導線２１６が設置されている。前記２つの第一電極２１４、２１５は、それぞれ前記第一導電層２１３の両端部の側辺に平行に設置されている。前記第一導線２１６は、前記導電層２１３の側辺に沿って、前記第一電極２１４の末端から前記第一電極２１５が設置されている前記第一導電層２１３の端部の中央まで延出される。前記第一導線２１６は、信号を伝送することに用いられる。
【００２１】
前記第二導電性フィルム２２０は、第二基板２２１と、前記第二基板２２１の表面に設置される第二接着層２２２と、前記第二接着層２２２により前記第二基板２２１に固着される第二導電層２２３と、を備える。前記第二導電層２２３の表面には、２つの第二電極２２４、２２５及び第二導線２２６が設置されている。前記２つの第二電極２２４、２２５は、それぞれ前記第一電極２１４、２１５が設置されている側辺に垂直な前記第二導電層２２３の両側辺に平行に設置されている。前記第二導線２２６は、前記２つの第二電極２２４、２２５の末端から前記第二導電層２２３の端部の中央まで延出される。前記第二導線２２６は、信号を伝送することに用いられる。
【００２２】
前記タッチパネル２００は、複数の金属接点２４１を持つフレキシブル印刷回路基板２４０をさらに備える。前記環形接着層２３０の１つの端部の中央には、欠口部２３１が設置されている。前記タッチパネル２００を組み立てる時、前記フレキシブル印刷回路基板２４０を前記欠口部２３１に位置させ、前記フレキシブル印刷回路基板２４０の複数の金属接点２４１を前記第一導電性フィルム２１０の第一導線２１６の末端及び前記第二導電性フィルム２２０の第二導線２２６の末端に電気接続させる。外部の電気信号は、前記第一導線２１６及び前記第二導線２２６を介して前記第一導電性フィルム２１０の第一電極２１４、２１５及び前記第二導電性フィルム２２０の第二電極２２４、２２５に伝送される。本実施例において、前記環形接着層２３０、前記第一接着層２１２及び第二接着層２２２は、熱硬化接着剤又はＵＶ硬化接着剤によって形成される。
【００２３】
従来のカーボンナノチューブフィルムの製造方法において、引張方式で超整列のカーボンナノチューブアレイ（Ｓｕｐｅｒ  Ｖｅｒｔｉｃａｌ−Ａｌｉｇｎｅｄ  Ｃａｒｂｏｎ  Ｎａｎｏｔｕｂｅ  Ａｒｒａｙ）から、透明導電性フィルムの製造に用いられるカーボンナノチューブフィルムを得る（特許文献３を参照）。
【００２４】
タッチパネルの信頼性を向上し且つタッチパネルの枠の幅を低減するために、本発明における第一導電層２１３及び第二導電層２２３は、上述した方法によって形成されるカーボンナノチューブフィルムを採用する。前記カーボンナノチューブフィルムの複数のカーボンナノチューブは、引張方向に沿って基本的に平行に配列され、前記引張方向に沿う導電層の抵抗は小さく、前記引張方向に直交する方向に沿う導電層の抵抗は、前記引張方向に沿う導電層の抵抗の５０〜３５０倍であり、異なる測定位置及び測定方向によって導電層の表面抵抗は１ｋΩ／□〜８００ｋΩ／□である。従って、本発明における第一導電層２１３及び第二導電層２２３は、抵抗異方性（又は導電異方性、Ａｎｉｓｏｔｒｏｐｉｃ  Ｃｏｎｄｕｃｔｉｖｉｔｙ)を有する。
【００２５】
図２に示したように、前記第一導電層２１３は、主要導電方向（Ｐ１）を有し、前記第二導電層２２３は、主要導電方向（Ｐ２）を有し、且つ前記主要導電方向（Ｐ１）と前記主要導電方向（Ｐ２）とは、直交する。
【００２６】
本実施例において、前記主要導電方向（Ｐ１）に沿う前記第一導電層２１３の抵抗及び前記主要導電方向（Ｐ２）に沿う前記第二導電層２２３の抵抗は、約３ｋΩ／□〜５ｋΩ／□であり、前記主要導電方向（Ｐ１）に直交する方向に沿う前記第一導電層２１３の抵抗及び前記主要導電方向（Ｐ２）に直交する方向に沿う前記第二導電層２２３の抵抗は、約２５０ｋΩ／□〜６００ｋΩ／□であるため、前記第一導電層２１３及び前記第二導電層２２３の抵抗異方性比率は、約１００〜２００である。換言すると、前記主要導電方向（Ｐ１）に直交する方向に沿う前記第一導電層２１３の抵抗及び前記主要導電方向（Ｐ２）に直交する方向に沿う前記第二導電層２２３の抵抗は、前記主要導電方向（Ｐ１）に沿う前記第一導電層２１３の抵抗及び前記主要導電方向（Ｐ２）に沿う前記第二導電層２２３の抵抗の１００〜２００倍である。
【００２７】
本実施例において、カーボンナノチューブが基本的に平行に配列されてなるカーボンナノチューブフィルムによって構成される前記第一導電層２１３及び前記第二導電層２２３の抵抗は、従来の透明導電層（ＩＴＯ層）の抵抗の３０〜１００倍である。前記式（Ａ）からわかるように、抵抗式タッチパネルにおける表面抵抗（Ｒｆｉｌｍ）が大幅に増加する場合、測定誤差の程度が変わらない状況下で、接触抵抗（Ｒｃｏｎｔａｃｔ）及び導線の抵抗（Ｒｌｉｎｅ）が、等比率で拡大するのを許容する。換言すると、導線の材料が変わらず且つ工程が許容する条件下で、各々の電極及び導線を一定の比率で縮小して、タッチパネルの縁部における電極及び導線が設置される区域の幅を縮小させることができる。
【００２８】
図３及び図４は、それぞれ前記第一導電性フィルム２１０及び前記第二導電性フィルム２２０の平面図である。
【００２９】
図３及び図４に示したように、前記第一導電層２１３を前記第一基板２１１の中央のやや上側に固着させて、前記第一基板２１１の左右側辺及び下側辺に、前記第一導電層２１３が被覆されない区域が形成される。また、前記第二導電層２２３を前記第二基板２２１の中央に固着させて前記第二基板２２１の上下側辺に、前記第二導電層２２３が被覆されない区域が形成される。前記第一導電層２１３と前記第二導電層２２３が重畳された区域をタッチ区域（Ｔ、破線で示した区域）とし、前記タッチ区域（Ｔ）の外周の区域を縁部区域（Ｂ）とする。前記第一導電性フィルム２１０の第一導線２１６及び前記第二導電性フィルム２２０の第二電極２２４は、全て左側の縁部区域（Ｂ）に位置し、前記第一導電性フィルム２１０の第一電極２１５及び前記第二導電性フィルム２２０の第二導線２２６は、全て下側の縁部区域（Ｂ）に位置する。
【００３０】
前記縁部区域（Ｂ）の幅（Ｓ）を狭くするために、前記第一電極２１４、２１５、前記第一導線２１６、前記第二電極２２４、２２５及び前記第二導線２２６を印刷塗布方式で銀ペースト（Ｓｉｌｖｅｒ  Ｐａｓｔｅ）層に構成し、前記第一導線２１６と前記第二電極２２４とを完全に重畳又は部分的に重畳させ、前記第一電極２１５と前記第二導線２２６とを完全に重畳又は部分的に重畳させる。前記第一導線２１６の幅（Ｔ１）及び前記第二電極２２４、２２５の幅（Ｔ２）は、５０μｍ〜５００μｍであり、左右側の縁部区域（Ｂ）の幅（Ｓ）は、１００μｍ〜１ｍｍである。
【００３１】
好ましくは、前記第一導線２１６の幅（Ｔ１）及び前記第二電極２２４、２２５の幅（Ｔ２）を１００μｍにして、左右側の縁部区域（Ｂ）の幅（Ｓ）を５００μｍ以下にして、異なる製品の設計要求を満足させる。
【００３２】
図５は、本発明に係るタッチパネル２００を用いる携帯電話３００の分解図である。
【００３３】
本実施例において、携帯電話３００に本発明に係るタッチパネル２００を用いたが、前記タッチパネル２００は、携帯情報端末機（ＰＤＡ）、衛星位置確認システム（ＧＰＳ）等のような他の携帯式電子装置にも適用される。
【００３４】
図５に示したように、前記携帯電話３００は、本体３１０上に表示パネル３２０を備える。本発明に係るタッチパネル２００は、前記表示パネル３２０に積層設置される一方、フレキシブル印刷回路基板２４０を介して前記本体３１０の内部のコネクタ３３０に電気接続されて、使用者のタッチ動作を観測する。また、前記タッチパネル２００の上に装飾フィルム３４０を設置することができる。前記装飾フィルム３４０は、前記タッチパネル２００のタッチ区域（Ｔ）に対応する透明区域と、前記タッチパネル２００の縁部区域（Ｂ）に対応する非透明区域を備える。前記装飾フィルム３４０の非透明区域で前記タッチパネル２００の各々の導線を覆って、携帯電話３００の外観を美化する。また、前記タッチパネル２００の縁部区域（Ｂ）の幅が狭いので、タッチパネル２００の可視範囲を広げることができ、前記携帯電話３００の設計要求を満足させることができる。
【００３５】
図６は、本発明に係るタッチパネル２００を用いるノートパソコン４００を示す図である。
【００３６】
図６に示したように、前記ノートパソコン４００は、本体４１０及び前記本体４１０に回転可能に連結されている表示装置４２０を備える。本発明に係るタッチパネル２００と装飾フィルム(図示せず)とを接着させた後、それを前記表示装置４２０の表示パネル(表記せず)に積層して設置する。前記タッチパネル２００における縁部区域（Ｂ）の幅が狭いので、前記タッチパネル２００の可視範囲を広げることができ、前記ノートパソコン４００の設計要求を満足させることができる。
【００３７】
本発明に係るタッチパネル２００における第一基板２１１及び第二基板２２１は、ポリエチレン（ＰＥ）、ポリカーボネート（ＰＣ）、ポリエチレンテレフタレート（ＰＥＴ）、ポリメタクリル酸メチル（ＰＭＭＡ）又は薄膜化されたガラス等のような透明材料による基板である。また、前記タッチパネル２００を表示パネルに積層して設置しない場合、前記タッチパネル２００における第一基板２１１及び第二基板２２１は、染色又はメッキしたＰＥ、ＰＣ、ＰＥＴ、ＰＭＭＡ又は薄膜化されたガラス等のような不透明材料による基板であることができる。
【００３８】
以上、本発明の好適な実施例について詳細に説明したが、本発明は前記実施例に限定されるものではなく、本発明の範囲内で種々の変形又は修正が可能であり、該変形又は修正も又、本発明の特許請求の範囲内に含まれるものであることは、いうまでもない。
【符号の説明】
【００３９】
２００  タッチパネル
２１０  第一導電性フィルム
２１１  第一基板
２１２  第一接着層
２１３  第一導電層
２１４  第一電極
２１５  第一電極
２１６  第一導線
２２０  第二導電性フィルム
２２１  第二基板
２２２  第二接着層
２２３  第二導電層
２２４  第二電極
２２５  第二電極
２２６  第二導線
２３０  環形接着層
２３１  欠口部
２３２  絶縁素子
２４０  フレキシブル印刷回路基板
２４１  金属接点
３００  携帯電話
３１０  本体
３２０  表示パネル
３３０  コネクタ
３４０  装飾フィルム
４００  ノートパソコン
４１０  本体
４２０  表示装置
【図１】
0005645511.tif 000003
【図２】
0005645511.tif 000004
【図３】
0005645511.tif 000005
【図４】
0005645511.tif 000006
【図５】
0005645511.tif 000007
【図６】
0005645511.tif 000008